(57)【要約】【課題】  主に医療現場で使用される導尿バッグを簡単な構成でもって被装して第三者の目に付かないようにすると共に採尿量の確認を容易で、しかも、その被装された導尿バッグを既存のベッドや既存の点滴架台等の医療具を構成する構成杆に固定可能とさせて、医療従事者の負担を少なくすると同時に患者に対しても精神的な苦痛を与えることのない導尿バッグ掛止システムを提供すること。【解決手段】  導尿バッグＢの採尿状態を外部から目視させる領域面を可撓性を有する帯体で被装させる導尿バックカバー１と側面視略凹字状に形成され導尿バックカバー１で被装された導尿バッグＢの把持部Ｂ２を掛止させるフック部２１と、そのフック部２１と一体的に設けられ構成杆Ｐ１を挟持させてフック部２１を支持させるバンド部２２とを備えて構成された導尿バッグ固定具２とを備えて構成する。【選択図】        図１
2006034398.tif 000002
【特許請求の範囲】
【請求項１】
蓄尿される袋本体の上部に設けられた長孔状の把持部と前記袋本体上部に接続された導尿ホースとを備えてなる導尿バッグを、ベッドや点滴架台等の医療具を構成する構成杆に係止させる導尿バッグ掛止システムであって、
前記道尿バッグの採尿状態を外部から目視させる領域面を、可撓性を有する帯体で被装させる導尿バックカバーと、
側面視略凹字状に形成され前記導尿バックカバーで被装された前記導尿バッグの前記把持部を掛止させるフック部と、そのフック部と一体的に設けられ前記構成杆を挟持させて前記フック部を支持させるバンド部とを備えて構成された導尿バッグ固定具と、
を備えたことを特徴とする導尿バッグ掛止システム。
【請求項２】
前記フック部は、その上部に前記導尿ホースをガイドさせる凹部が形成されていることを特徴とする請求項１記載の導尿バッグ掛止システム。
【請求項３】
前記導尿バックカバーは、前記導尿バッグの表裏を覆い隠すのに所要な長さの前記帯体を有すると共に、その帯体の両端部同士を揃えるように折り返され、その折り返しと反対方向の開放端部の所要位置と前記把持部を避けた上部の所要位置に開閉可能な止着部が設けられてなることを特徴とする請求項１または２記載の導尿バッグ掛止システム。
【請求項４】
前記導尿バックカバーは、前記帯体の折り返し側上部表面と前記開放端部側の下部表面とに一対の第２止着部が設けられていることを特徴とする請求項３記載の導尿バッグ掛止システム。
【発明の詳細な説明】
【技術分野】
【０００１】
本発明は、主に医療現場で使用される導尿バッグを被装して、ベッドや点滴架台等の医療具を構成する構成杆に係止する導尿バッグ掛止システムに関する。
【背景技術】
【０００２】
従来から、医療現場等で使用される導尿バッグは、採尿状態が外から目視可能なように、目盛りの付いた透明な袋状の容器となっている。
しかしながら、その反面、採尿状態を確認する医師や看護師等の医療従事者以外の第三者にも、導尿バッグの内容物である採尿が目に付くこととなり、かかる導尿バッグを使用している患者は、精神的な苦痛を強いられていた。
【０００３】
そこで、かかる問題を解決するために、その導尿バッグを人目に付かないように隠し、患者が気兼ねなく携帯できるようにした採尿バッグ（導尿バッグ）収納袋が提案されている。
この採尿バッグ収納袋は、前面に透明部分を設けると共にこの透明部分を隠すカバーを設け、さらに下端に開口部を設け、この開口部から採尿バッグの排尿ホースを取り出せるように構成されている（例えば特許文献１参照）。
【０００４】
また、この導尿バッグの使われ方は、例えば、ベッド下の床に載置したり、上記した先行技術文献の第４図で示されたように、何らかの医療具、例えば、点滴架台に設けられた高さ調整可能なグリップハンドル（患者が点滴架台を押し転ばす際等に把持するためのものである）に引っかけたり、点滴架台の高さ調整用ハンドルに引っかけたり、あるいは、車椅子を利用する患者は、膝の上や、ハンドル部に引っかけたりしている。
【０００５】
【特許文献１】特開２００１−８７２９８（第３頁、図４）
【発明の開示】
【発明が解決しようとする課題】
【０００６】
上記の採尿バッグ収納袋は、言わば、下端に採尿バッグの排尿ホースを取り出すための開口部を設けたショルダーバッグ風に構成されているため、例えば、点滴架台に引っかけたい場合、点滴架台には導尿バッグを吊り下げる専用の掛止部がないことから、上記したように点滴架台のグリップハンドルに掛止させている。
【０００７】
この点滴架台のグリップハンドルは、患者が点滴架台を押し転ばす際等に把持するためのものであることから、当然のことながら、その取り付け位置は把持しやすい位置に限定されてくるが、しかしながら、その位置と、導尿バッグを掛止させるのに好適な位置とでは異なっている。
【０００８】
すなわち、尿をチューブ内で自然落下させて導尿バッグを採取するためには、なるべく点滴架台の下方（手の届く範囲外）に設ける必要があることから、結果的に、グリップハンドルは導尿バッグの掛止専用となって、患者は点滴架台の縦杆を握ることとなる。患者によっては縦杆が握りづらい場合があり、歩行の障害となったり、時に転倒などの危険がある。
【０００９】
また、点滴架台の高さ調整用ハンドルに掛止させた場合、当然のことながら、この高さ調整用ハンドルは、頂部に掛止された点滴の高さを調整し固定するためのもので、点滴使用中に弛んだりしてはいけないものであるが、上記したような誤った使われ方をすると、高さ調整用ハンドルが弛んで点滴が落下する事故が起きたり、あるいは、その点滴が落下した拍子に患者が転倒してしまう虞があり、好ましい使い方ではない。
【００１０】
また、この導尿バッグは、ベッド下の床に載置して使用される場合があるが、上記したように、患者にとって人目に付く恥ずかしさはもとより、医師や看護師等の医療従事者にとっても、導尿バッグを一々持ち上げて採尿バッグに付された目盛りで採尿量を確認しており、煩わしい作業となっている。
【００１１】
仮に、上記の採尿バッグ収納袋を使用したとしても、採尿バッグ収納袋ごと持ち上げ、さらにカバーを開いて（つまり両手が塞がることになる）採尿量を確認することとなり、看護師などが採尿量を記録する際、甚だ面倒である。
【００１２】
また、この従来の採尿バッグ収納袋は、前面に透明部分を設け、さらにこの透明部分を隠すカバーを設けた構成となっているため、その製造に手間がかかる上、長期に亘って使用した場合、上記した透明部分（合成樹脂材と推察できる）に傷や汚れが付着して、視認性が損なわれてしまう。
【００１３】
もちろん、点滴架台のような医療具に掛止させておいたとしても、カバーをめくった状態を維持するため片手が塞がり、これもまた、看護師などが採尿量を記録する際に甚だ面倒である。
【００１４】
そこで、本発明は、主に医療現場で使用される導尿バッグを簡単な構成でもって被装して第三者の目に付かないようにすると共に採尿量の確認を容易で、しかも、その被装された導尿バッグを既存のベッドや既存の点滴架台等の医療具を構成する構成杆に固定可能とさせて、医療従事者の負担を少なくすると同時に患者に対しても精神的な苦痛を与えることのない導尿バッグ掛止システムを提供することを目的とする。
【課題を解決するための手段】
【００１５】
上記課題を達成するために請求項１にかかる導尿バッグ掛止システムは、蓄尿される袋本体の上部に設けられた長孔状の把持部と前記袋本体上部に接続された導尿ホースとを備えてなる導尿バッグを、ベッドや点滴架台等の医療具を構成する構成杆に係止させる導尿バッグ掛止システムであって、前記道尿バッグの採尿状態を外部から目視させる領域面を、可撓性を有する帯体で被装させる導尿バックカバーと、側面視略凹字状に形成され前記導尿バックカバーで被装された前記導尿バッグの前記把持部を掛止させるフック部と、そのフック部と一体的に設けられ前記構成杆を挟持させて前記フック部を支持させるバンド部とを備えて構成された導尿バッグ固定具と、を備えたことを特徴とする。
請求項２にかかる導尿バッグ掛止システムは、請求項１において、前記フック部は、その上部に前記導尿ホースをガイドさせる凹部が形成されていることを特徴とする。
請求項３にかかる導尿バッグ掛止システムは、請求項１または２において、前記導尿バックカバーは、前記導尿バッグの表裏を覆い隠すのに所要な長さの前記帯体を有すると共に、その帯体の両端部同士を揃えるように折り返され、その折り返しと反対方向の開放端部の所要位置と前記把持部を避けた上部の所要位置に開閉可能な止着部が設けられてなることを特徴とする。
請求項４にかかる導尿バッグ掛止システムは、請求項３において、前記導尿バックカバーは、前記帯体の折り返し側上部表面と前記開放端部側の下部表面とに一対の第２止着部が設けられていることを特徴とする。
【発明の効果】
【００１６】
本発明によれば、極めて簡単な構成でもって導尿バッグの表裏を覆い隠すことができ、さらに、点滴架台の支柱やベッド脚部の縦杆や横杆等の所望した位置に、導尿バッグ固定具のバンド部を挟持させて導尿バッグ固定具を取り付け、バンド部で支持されたフック部に、導尿バックカバーで被装された導尿バッグの把持部を引っかけておくから、掛止部が設けられていない既存の医療具に対して、導尿バックカバーで被装された状態の導尿バッグを簡単に吊り下げておくことができる。
【００１７】
また、導尿バッグの袋本体上部に接続された導尿ホースをフック部に形成された凹部でガイドするから、導尿ホースのバタツキを抑制して、バックの横ぶれやホースのばたつきによる患者の不快感の軽減すると同時に、常に安定した導尿バッグの吊り下げ状態を維持することができる。例えば、導尿バックカバーで被装された状態の導尿バッグを点滴架台の支柱に取り付けた導尿バッグ固定具に吊り下げ、患者がその点滴架台を押し転ばせながら歩行する場合等、導尿ホースのバタツキによる導尿バッグの横ぶれなどを防止することができる。
【００１８】
また、帯体の折り返し側上部と開放端部側の下部とが重合するようにカバー前面をめくり、その状態を第２止着部で維持するから、医師や看護師等の医療従事者が、採尿量の記録や排出作業等をする際に両手が塞がることがなくなり利便性を向上させることができる。
【発明を実施するための最良の形態】
【００１９】
次に、本発明にかかる導尿バッグ掛止システムの実施の形態について添付図面を参照しながら説明する。
本実施の形態にかかる導尿バッグ掛止システムは、導尿バックカバー１と、導尿バッグ固定具２とを備えてなる。
【００２０】
導尿バックカバー１は、図１に示すように、導尿バッグＢの表裏を覆い隠すのに所要な長さの合成繊維、不織布などの可撓性を有する帯体１１が、その両端部同士が揃うように折り返され、その帯体１１の折り返し側上部が、その横方向に向かって所要長さ縫着されている。そして、その折り返しと反対方向の開放端部内側の中間部及び下部の対向面夫々に、一対の面ファスナー１２、１３が縫着されている。さらに、その開放端部上部の背面側の帯体１１に一端が縫着され他端が前面側に折り返された帯状部材１４が設けられており、その帯状部材１４の他端の裏面とその待遇面である開放端部上部前面側の帯体１１とに一対の面ファスナー１５，１６が縫着されている。
開放端部の所要位置と後述する導尿バッグＢの把持部Ｂ２を避けた上部の所要位置に開閉可能な面ファスナー１２、１３、１５，１６で止着部が構成され、導尿バックカバー１が開閉可能になっている。
【００２１】
また、帯体１１の折り返し側上部表面と開放端部側の下部表面とに一対の面ファスナー１７，１８が設けられて第２止着部が構成されており、帯体１１の折り返し側上部表面と開放端部側の下部表面とが重合するようにカバー前面をめくった際にその状態を保持するようになっている。
【００２２】
導尿バッグ固定具２は、図１〜図３に示すように、展開状態で略逆凹字状の板材２１１を、その突出した両端が側面視略凹字状となるように折り曲げ形成され、背面側の板材２１１中央部が逆山形状に切欠されて凹部２１ａが形成され、さらに側面視略凹字状となるように折り曲げ形成された一方に位置した背面側の板材２１１と面一となるように支持板材２１２が垂設されて形成されたフック部２１と、バンド２２１の両端が蝶ネジ部２２２に係合されて環状に湾曲形成されると共に蝶ネジ２２３の回動操作によって内径を変化させて点滴架台Ｐの縦杆Ｐ１に挟持するように構成されたバンド部２２とを備えてなる。なお、このバンド部２２は、その環状のバンド２２１がフック部２１の吊り下げ方向（掛止方向）と直交方向となるように支持板材２１２に設けられた長孔２１ｂに挿通されると共に、その長孔２１ｂに位置したバンド２２１が支持板材２１２と溶着されて固着されている。
【００２３】
なお、この上記した支持板材２１２は、凹部２１ａの垂直方向の中心線上からずれるように背面側の板材２１１に取り付けているが、これは、例えば、患者がその点滴架台を押し転ばせながら歩行する場合、体より前に点滴架台が位置することになるため、導尿バッグＢの把持部Ｂ２内中央に設けられた導尿ホースＢ３（かかる構成の導尿バッグが一般的である）が縦杆Ｐ１で邪魔されないようにしているためであり、把持部Ｂ２内中央に導尿ホースＢ３が設けられていない導尿バッグＢの場合は、凹部２１ａの中心線上に支持板材２１２を配設しても良いもので、その態様は任意である。
【００２４】
また、このバンド部２２は、フック部２１の吊り下げ方向（掛止方向）と直交方向となるように支持板材２１２に固着されて、導尿バッグＢの吊り下げ方向と点滴架台Ｐの縦杆Ｐ１（構成杆）とが平行となるように構成されているが、このものに限定されず、導尿バッグＢの吊り下げ方向と縦杆Ｐ１とが直交するように（例えばベッドの横杆に取り付ける場合等）構成しても良く、さらに、フック部２１とバンド部２２とを任意の角度に固定可能に構成しても良い。この場合、例えば、支持板材にスリ割りを入れた係止孔を設け、その係止孔に係合するピンをバンド部に設け、そのピンを係止孔に挿入し蝶ネジでスリ割部分を締め込むことでピンを係止孔で挟持させることが好ましい。
【００２５】
次に、以上のように構成された導尿バッグ掛止システムを用いた使用方法について説明するが、その前に導尿バッグＢの構成について簡単に説明すると、導尿バッグＢは、目盛りが付された透明の樹脂で形成され蓄尿される袋本体Ｂ１と、その袋本体Ｂ１の上部中央に設けられた長孔状の把持部Ｂ２と、その把持部Ｂ２内中央の袋本体Ｂ１上部に接続された導尿ホースＢ３と、袋本体Ｂ１下部に接続された排尿ホースＢ４と、を備えて構成される。
【００２６】
このように構成された導尿バッグＢを、まず、目盛り側を表にして、把持部Ｂ２が突出するように開状態の導尿バックカバー１の所定位置に配置させた後、開放端部内側の中間部及び下部の対向面夫々に設けられた一対の面ファスナー１２，１３と、帯状部材１４に設けられた面ファスナー１５，１６を係合させて導尿バックカバー１を閉じる。
【００２７】
上記した導尿バックカバー１を用いた導尿バッグＢの被装工程に前後して、バンド部２２に設けられた蝶ネジ２２３を回動操作してバンド２２１と蝶ネジ部２２２との係合が解かれた導尿バッグ固定具２を、点滴架台Ｐの縦杆Ｐ１の所要位置に位置させ、バンド２２１をその縦杆Ｐ１に巻き付けるようにしながら蝶ネジ２２３を締め込み蝶ネジ部２２２とバンド２２１を係合させて導尿バッグ固定具２を縦杆Ｐ１に取り付ける。
【００２８】
そして、導尿バッグ固定具２に形成された凹部２１ａに導尿ホースＢ３がガイドされるように導尿ホースＢ３の位置を整えながら、導尿バックカバー１の略中央上部から突出した把持部Ｂ２をフック部２１に掛止させて、導尿バックカバー１で被装された導尿バッグＢを吊り下げる。
【００２９】
このようにして、掛止部を持たない既存の点滴架台に対しても導尿バックカバー１で被装された導尿バッグＢをグリップハンドルや、点滴架台の高さ調整用ハンドルを利用することなく、吊り下げることができ、しかも、採尿状態を覆い隠して患者の精神的苦痛を無くすことができる。
【００３０】
患者がこの点滴架台Ｐを押し転ばせながら歩行する場合等、導尿ホースＢ３のバタツキによる導尿バッグＢの横ぶれなどを凹部２１ａで防止することができる。
【００３１】
また、医師や看護師等の医療従事者が、採尿量を確認（採尿量を記録する等）するとき、図４に示すように、帯体１１の折り返し側上部表面と開放端部側の下部表面とが重合するようにカバー前面をめくり第２止着部で止着して導尿バッグＢの表面に付された目盛りを露出させる。このように第２止着部を設けたことによって、採尿量を記録する際に両手が使え、医療従事者に対して利便性が向上する。
【００３２】
また、導尿バッグＢの不使用時は、図５に示すように、導尿バックカバー１を矩形状に小さく折り畳み、その折り畳んだ導尿バッグカバー１をフック部２１内に挿入し、結束用ゴムバンドＣでフック部２１に挟着することが好適である。
【００３３】
以上、本実施の形態にかかる導尿バッグ掛止システムを説明したが、上述した実施の形態は、本発明の好適な実施の形態の一例を示すものであり、本発明はそれに限定されるものではなく、その要旨を逸脱しない範囲内において、種々変形実施が可能である。
【００３４】
例えば、本実施の形態にかかる導尿バッグは、導尿バッグの表裏を覆い隠すのに所要な長さの合成繊維、不織布などの可撓性を有する一枚の帯体を折り返して構成しているが、導尿バッグの表裏を覆い隠すのに所要な大きさの二枚の帯体で構成し、その一端側を縫着してもよい。
また、導尿バッグの表面のみを一枚の帯体で被装させても良い。この場合、帯体上部に両面テープなどを止着し、その両面テープで導尿バッグの表面上部を止着することが好適である。
【図面の簡単な説明】
【００３５】
【図１】本実施の形態にかかる導尿バッグ掛止システムの使用状態を示す正面図である。
【図２】要部の拡大右側面図である
【図３】要部の拡大平面図である。
【図４】カバー前面をめくり第２止着部で止着した状態の要部の拡大正面図である。
【図５】導尿バックカバーを折り畳んで導尿バッグ固定具に取り付けた状態の要部の拡大正面図である。
【符号の説明】
【００３６】
１  導尿バックカバー
２  導尿バッグ固定具
１１  帯体
１２、１３、１５、１６、１７、１８  面ファスナー
１４  帯状部材
２１  フック部
２２  バンド部
２１１  板材
２１ａ  凹部
２１２  支持板材
２２１  バンド
２２２  蝶ネジ部
２２３  蝶ネジ
Ｐ  点滴架台
Ｐ１  縦杆
２１ｂ  長孔
Ｂ  導尿バッグ
Ｂ２  把持部
Ｂ１  袋本体
Ｂ３  導尿ホース
Ｂ４  排尿ホース
Ｃ  結束用ゴムバンド
【図１】
2006034398.tif 000003
【図２】
2006034398.tif 000004
【図３】
2006034398.tif 000005
【図４】
2006034398.tif 000006
【図５】
2006034398.tif 000007